(57)【要約】【課題】  使用者の操作性を向上させると共に、十分効果のあるイオン導入及びマッサージを提供することができるイオン導入器を提供する。【解決手段】  人体を検知したとき、すなわち、患部に電極部１が接触しているときに、バイブレータ１３の駆動を開始するので、電極部１が接触していない場合にバイブレータ１３は開始することはなく、使用者が意識することなく、電力消費量の大きいバイブレータ１３の無駄な駆動を抑制することができる。【選択図】  図１
2010148979.tif 000002
【特許請求の範囲】
【請求項１】
患部に電流を出力する電極部と、当該電極部にパルスを出力するパルス出力部と、前記パルス出力部に各種電流を供給する電源部とを備え、イオン化溶液中に含まれるイオン化成分を前記パルス出力部からのパルスによって生体へ導入するイオン導入器において、
前記パルス出力部がパルスを出力した後パルス毎に逆の極性のパルスを出力することを
特徴とするイオン導入器。
【請求項２】
患部に電流を出力する電極部と、当該電極部にパルスを出力するパルス出力部と、前記パルス出力部に各種電流を供給する電源部とを備え、イオン化溶液中に含まれるイオン化成分を前記パルス出力部からのパルスによって生体へ導入するイオン導入器において、
前記パルス出力部のパルス出力部分を構成する回路を接地用スイッチを介して選択的に接地可能とし、パルス出力部がパルス毎にパルスを出力した後前記接地用スイッチを投入して前記パルス出力部分を接地状態にすることを
特徴とするイオン導入器。
【請求項３】
請求項１または２に記載のイオン導入器において、
患部に直接接触し、前記電極部を構成して金属からなるプレート部が、３以上の領域に分割されて構成されていることを
特徴とするイオン導入器。
【発明の詳細な説明】
【技術分野】
【０００１】
本発明は、イオン化溶液中に含まれるイオン化成分を前記パルス出力部からのパルスによって生体へ導入するイオン導入器に関する。
【背景技術】
【０００２】
背景技術となる第１のイオン導入器としては、特開２０００−２１０３８５号公報に開示されるものがある。この背景技術となる第１のイオン導入器は、図１３に示すように本体１０１の上端前方には使用者の顔面皮膚に接触し、ガルバニックイオン電流を出力する顔面皮膚接触部１０２が設けられており、この顔面皮膚接触部１０２の周縁部の内側に複数の遠赤外線ダイオードＵＤ1、ＵＤ２、ＵＤ３が設けられ、振動発生部及び遠赤外線を出力する遠赤外線出力部１０４を備え、本体１０１の左右両側には、使用者が本体を握ったとき、皮膚と接触される接地部１０６が設けられている構成である。この背景技術となるイオン導入器によれば、直流／直流変換部を用いて、バッテリの電源を昇圧させ、この昇圧した電源でガルバニックイオン電流を出力し、さらに、振動発生部及び遠赤外線出力部を備え、振動及び遠赤外線を発生し、使用者は簡便に携帯しながらガルバニックイオン電流、遠赤外線及び振動を用いて、皮膚美容を遂行するのは勿論、皮膚美容段階で出力するガルバニックイオン電流を周期的に可変させることにより、皮膚刺激の効果が高く、これにより、常に弾力性を有し、かつ色つやの良い皮膚を維持することができる。また、この背景技術となるイオン導入器には、図１４に示すように、クレンジング（図１４（ａ））、マッサージ（図１４（ｂ））、栄養供給（図１４（ｃ））、リフティング（図１４（ｄ））の各種パルス波形モードが用意されており、適宜各種パルス波形モードの動作が行われる。
【０００３】
背景技術となる第２のイオン導入器としては、特開２００１−２５９０４５号公報に開示されるものがあり、施術部位の皮膚に超音波振動を付与する超音波振動部が導電性素材で出来ており、超音波振動部が施術部位の皮膚に有効成分のイオンを導入するためのイオン導入電極と共通するようになっていることを特徴とするものである。この背景技術となる第２のイオン導入器によれば、超音波振動とイオン導入を同時に施術する事ができるので、長期連用でも皮膚に与える負担が極めて少なく、皮膚にトラブルを発生しないという点や、従来法に比し極めて効率的に皮膚の中に有効成分を導入吸収でき、従って施術時間が短縮できるという利点がある。
【先行技術文献】
【特許文献】
【０００４】
【特許文献１】特開２０００−２１０３８５号公報
【特許文献２】特開２００１−２５９０４５号公報
【発明の概要】
【発明が解決しようとする課題】
【０００５】
しかしながら、前記第１の背景技術は以上のように構成され、イオン導入のみが可能であり振動によるマッサージを行うものは少なく、また、前記第２の背景技術のように振動によるマッサージを行うものであっても、効果的側面のみを考慮したイオン導入器であって、使用者の操作性の面から利便性が高くないという課題を有する。
【０００６】
本発明は前記課題を解決するためになされたものであり、使用者の操作性を向上させると共に、十分効果のあるイオン導入及びマッサージを提供することができるイオン導入器を提供することを目的とする。また、第２の背景技術のように、イオン導入と共に振動によるマッサージを行うことができ、さらに、しわ伸ばしも行うことができる多機能化を図るものでもある。さらにまた、振動によるマッサージが円滑に行われたとしても、イオン導入器本来のパルス出力によるイオン導入等が円滑に行われなければ本質を欠くため、より適切なパルスを出力するようにすることも本発明の目的である。
【課題を解決するための手段】
【０００７】
本発明に係るイオン導入器は、患部に電流を出力する電極部と、当該電極部にパルスを出力するパルス出力部と、前記パルス出力部に各種電流を供給する電源部とを備え、イオン化溶液中に含まれるイオン化成分を前記パルス出力部からのパルスによって生体へ導入するイオン導入器であって、前記パルス出力部がパルスを出力した後パルス毎に逆の極性のパルスを出力するものである。このように本発明においては、前記パルス出力部がパルスを出力した後パルス毎に逆の極性のパルスを出力するので、パルス出力部からのパルスにより人体が帯電状態となっても、印加電圧が正から負に（または負から正に）なり人体への帯電が解放され、パルス出力部が出力した波形に応じた出力波形が得られ、想定する効果を十分に得ることができる。
【０００８】
また、本発明に係るイオン導入器は、患部に電流を出力する電極部と、当該電極部にパルスを出力するパルス出力部と、前記パルス出力部に各種電流を供給する電源部とを備え、イオン化溶液中に含まれるイオン化成分を前記パルス出力部からのパルスによって生体へ導入するイオン導入器であって、前記パルス出力部のパルス出力部分を構成する回路を接地用スイッチを介して、パルス出力部がパルス毎にパルスを出力した後前記接地用スイッチを投入して前記パルス出力部分を接地状態にするものである。このように本発明においては、パルス出力部がパルス毎にパルスを出力した後前記接地用スイッチを投入して前記パルス出力部分を接地状態にするので、パルス出力部からのパルスにより人体が帯電状態となっても、パルス出力部がパルスを出力しなくなるだけでなくさらに接地状態になって人体への帯電された電荷が解放され、パルス出力部が出力した波形に応じた出力波形が得られ、想定する効果を十分に得ることができる。通常パルス出力部からのパルス出力を受ける対極電極部が、パルス出力時には接地状態となってパルスを受けるようになっているが、ここでは、さらに出力側のパルス出力部自体も帯電した電荷の解放のために接地状態となって、より円滑に電荷の解放を助長し、使用者に対するパルスの効果を十分に発揮可能としていることに意義がある。
【０００９】
また、本発明に係るイオン導入器は必要に応じて、患部に電流を出力する電極部と、当該電極部にパルスを出力するパルス出力部と、前記パルス出力部に各種電流を供給する電源部とを備え、イオン化溶液中に含まれるイオン化成分を前記パルス出力部からのパルスによって生体へ導入するイオン導入器であって、患部に直接接触し、前記電極部を構成して金属からなるプレート部が、３以上の領域に分割されて構成されているものである。このように本発明においては、患部に直接接触し、前記電極部を構成して金属からなるプレート部が、３以上の領域に分割されて構成されているので、分割領域同士で導通することができ局所的なケアを行うことができ、さらに、分割領域が２つの場合には1箇所のみにおいてケアができるにすぎないが、分割領域を３以上形成している場合には複数箇所のケアもできる。
【発明を実施するための形態】
【００１０】
（本発明の第１の実施形態）
本発明の第１の実施形態に係るイオン導入器について図１ないし図８に基づき説明する。図１は本実施形態に係るイオン導入器の平面図及び右側面図、図２は本実施形態に係るイオン導入器の全体構成ブロック図、図３は本実施形態に係るパフリングの使用状態図、図４は本実施形態に係るイオン導入器の回路構成図、図５は本実施形態に係るイオン導入器のクレンジングのモードの波形図、図６は本実施形態に係るイオン導入器のマッサージのモードの波形図、図７は本実施形態に係るイオン導入器のイオン導入のモードの波形図及び図８は本実施形態に係るイオン導入器のリフティングのモードの波形図を示す。
【００１１】
前記各図において本実施形態に係るイオン導入器は、患部に電流を出力する電極部であるパフプレート部１と、当該電極部にパルスを出力するパルス出力部１２と、振動を発生させるバイブレータ１３と、前記パルス出力部１２及びバイブレータ１３に各種電流を供給する電源部（図示しない）とを備え、イオン化溶液中に含まれるイオン化成分を前記パルス出力部１２からのパルスによって生体へ導入するイオン導入器であって、人体を検知した時にパルスの出力を開始しバイブレータ１３を駆動開始させ、人体を検知しなくなった時にパルスの出力を停止しバイブレータ１３の駆動を停止し、さらに、再び人体を検知した時にパルスの出力を再開しバイブレータ１３の駆動を再開する構成である。本イオン導入器は、大まかには前面を形成し、前記パフプレート部１が先端に配設された前面体２と、この前面体２の背面にあり、前記パルス出力部１２等の電気回路を内設する背面体３とからなる。この前面体２の中央部下側と背面体３とで使用者が使用時に握る手持部を構成している。そして、この手持部からなる本体と前記パフプレート部１とが離隔し、連結部２ａを介して本体と電極部であるパフプレート部１とが結合し、前記パフプレート部１及び連結部２ａを受け部として形成している構成である。一方、この受け部に対してパフを保持する保持部材であるパフリング７が前記受け部に対応した嵌合可能な楕円状リングであってリングの孔部７ａの長軸内側方向に対する外力に対して復元性を有するものである。すなわち、前記受け部に、パフリング７が鉤部となって嵌合する。
【００１２】
前記パフプレート部１は、導電性部材からなり、同じく導電性部材からなる対極電極部６と共に、人体を介して導通状態となる。実際の使用時には、パフプレート部１が患部に接触し、対極電極部６が本美容機器を持つ掌や手の指等と接触し、パフプレート部１（又は対極電極部６）から人体を介して対極電極部６（又はパフプレート部１）へ向かって電流が流れる。パフプレート部１には電流の供給を受けるべく、電極ライン１ａが本体１０の内部に内設されている。ただし、電源ライン１ａは１本であり、もう１本は人体を導体とみなすので不必要である。前記パフプレート部１の平面形状はルーローの三角形の形状をしているが、この形状によりパフプレート部１を当接させる患部の内他の部位と比べて凸部となっている鼻等のパフプレート部１が接触した場合に、どの側面でも同じ程度の大きさの接触面で当接することができ、偏りがないイオン導入を行うことができる。また、パフプレート部１のルーローの三角形自体の形状が、統一があって審美生が高い。
【００１３】
前記パフリング７は樹脂を成形したものである。樹脂の選定においては、成形後少なくとも復元性を有するものであることが必要であり、使用者の指の力で変形可能な軟性を有することが好ましい。復元性を要しなければパフリング７の孔部の長軸内側方向に使用者が力を加えて変形させ嵌め易くした状態でパフプレート部１に嵌め合わせた後に、変形したままの形状となってパフリング７がパフをパフプレート部１にしっかりと保持することができない。
【００１４】
また、パフリング７は、前記リングの孔部７ａの一方の開口の径７ｃが他方の開口の径７ｄより小さくするつば部７ｂを設けている。このつば部７ｂを設けることによりパフリング７がパフプレート部１を通過して連結部２ａに落ち込むことを防止し、定位置にパフリング７をパフプレート部１に嵌め合わせることができる。さらに、このようなつば部７ｂを一方の面のみに形成していることにより、使用者が指により外力を加えて長軸内側方向にパフリング７を変形させた場合につば部７ｂを形成している開口部は剛性があり変形し難いのに対し、つば部７ｂを形成していない他方の開口部はそれと比較して剛性がないため、つば部７ｂを形成していない他方の開口部のみが拡開し、使用者がパフリング７をパフプレート部１に嵌め易くなる。
【００１５】
前記前面体２は、表面中央に操作スイッチ４が配設されている。この操作スイッチ４は、電源スイッチボタン４ａ、モード切替スイッチ４ｂ及び強弱切替スイッチ４ｃからなる。電源スイッチボタン４ａは本イオン導入器の電源のオン／オフを受け、電源オフの状態で電源スイッチボタン４ａを押下することで本イオン導入器は起動し、一方、電源オンの状態で電源スイッチボタン４ａを押下することで本イオン導入器は終了する。モード切替スイッチ４ｂは、現在動作しているモードから他のモードに切り替えるためのスイッチである。モード切替スイッチ４ｂはどのモードであっても他のモードに移行することができる。モード切替スイッチ４ｂを押す毎に他のモードに移行するため、何度か押下すると一周して移行前のモードに戻ってくることになる。強弱スイッチ４ｃは、本スイッチの切り替えによりパルス出力部１２から出力されるパルスの出力電圧の強弱を選択したり、バイブレータ１３の強弱を選択するものである。この強弱スイッチ４ｃによるパルスの出力電圧の強弱の選択及びバイブレータ１３の強弱の選択を設けたのは（出力電圧が強でバイブレータ１３も強であるモードをHighモードとし、出力電圧が弱でバイブレータ１３も弱であるモードをLowとする）、使用者の選択の幅を広げ利便性を高めるためである。詳述すれば、電気信号に対して恐怖心や敏感な人はイオン導入器を使用したいにも拘らず電気信号を避けることにより本イオン導入器の使用を躊躇うことが考えられるが、Lowモードを用意することによりこのような使用者であっても安心して使用することができる。一方、電気信号に対して恐怖心どころかチクチクする痛みに対して効果を確認するような使用者にとっては、Lowモードのみの使用では効果はある程度あるにも拘らず満足いくものではなくHighモード用意することによりこのような使用者にも対応することができる。
【００１６】
これら電源スイッチボタン４ａ、モード切替スイッチ４ｂ及び強弱切替スイッチ４ｃの上面にはドーム状の共通スイッチが形成されている。この共通スイッチは、十字キーのごとくどの方向に押下することもできる。そして、この共通スイッチは下面に配設されている電源スイッチボタン４ａ、モード切替スイッチ４ｂ及び強弱切替スイッチ４ｃにそのまま押下状態を伝える。すなわち、共通スイッチが下方向にシフトして押下すると電源スイッチボタン４ａを押下することとなり、共通スイッチが右上方向にシフトして押下するとモード切替スイッチ４ｂを押下することとなり、共通スイッチが左上方向にシフトして押下すると強弱切替スイッチ４ｃを押下することとなる。
【００１７】
また、前面体２の操作スイッチ４の形状が平面方向から見ると円状となっているが、この円と同心円上に複数の発光ダイオード５を配設している。前記発光ダイオード５は、現在どのモードかを示すモード表示ランプ５ａ、パルスの出力とバイブレータの振動の強弱を示す強弱表示ランプ５ｂからなる。モード表示ランプ５ａはフルカラーLEDを用いる。そして、制御部９は使用者が発光ダイオード５の光の色により各モードを判別できるように、例えば、イオンクレンジング時には水色、マッサージ時には橙、イオン導入時には青色、リフティング時には白色に発光するように制御する。強弱表示ランプ５ｂは、それぞれLEDが用意され、強の場合には強用LEDが発光し、弱の場合には弱用LEDが発光している
。
【００１８】
前記背面体３は、後端表面に対極電極部６が形成され、また、電流供給元となる電池が脱着可能となる電池収納部が内設され、さらに、当該内部の電池からの電流の供給を受け、かかる電流をパルスに換え、パフプレート部１（又は対極電極部６）にパルスを出力するように制御する制御部９を実装している回路基板が内部に配設されている構成である。背面体３は有色にて形成されており、これは、内部に配設される回路基板、電源部等を被覆するためである。したがって、外観者に対する美観を向上させるためにデザイン上特化させるために透明又は半透明にして内部の回路基板を故意に透過させる場合もある。ここでの電池は、充電型であり、充電容量がなくなった場合には、音により知らせる構成とすることができる。
【００１９】
前記制御部９は、図２に示すように、電源スイッチボタン４ａ、モード切替スイッチ４ｂ、強弱切替スイッチ４ｃからの入力を受け、発光ダイオード５、パルス出力部１２及び前記バイブレータ１３を制御する。この制御部９は実際には主にマイクロコンピュータにより実装され、その余の部分は回路からなる。前記発光ダイオード５は、制御部９から出力された制御信号（発光用制御信号）に従って発光する。前記パルス出力部１２は、制御部９から出力された制御信号（電極用制御信号）に従ってパフプレート部１及び対極電極部６にパルスからなる電流を出力する。前記バイブレータ１３は、制御部９から出力された制御信号（バイブレータ用制御信号）に従ってモータを回転させる。
【００２０】
前記パルス出力部１２が出力するパルスには用途毎にモードがあり、本実施形態においては、皮膚の深部に蓄積している毒素や老廃物を除去するイオンクレンジング、顔面皮膚の穴を拡張及び縮小させ色艶の良い弾力性のある皮膚に維持させるマッサージ、皮膚の深部に化粧水等の養分を浸透させるイオン導入、及び、皮膚の毛穴を拡縮させ張りのある皮膚を保持させるリフティングのモードがある。
【００２１】
また、制御部９は、パルス出力部１２から人体検知用の検出信号を適宜出力するようにしている。人体検知とは、パフプレート部１が人体と接触しているか否かを検知するものである。人体検知を使用する目的は、人体を検知してパルスを出力し振動させるようにし確実にイオン導入を使用者に行うことにある。本イオン導入器においては、ソフトスタートを行うために特に有用であり、すなわち、人体に確実にパフプレート部１が接触している状態でソフトスタートをする意味があり、人体に電極部１が接触していない状態でソフトスタートし、ソフトスタートを経過した通常の動作時に人体に接触させた場合にはソフトスタートの意味がなくなる。パルス出力部１２から各モードのパルスが出力されている場合には、検出信号は出力しなくてもよい。これは、各モードのパルスが適切に出力されている場合には、人体に電極部１が接触しているため、別途検出信号を出力する必要がないことによるものである。ここで、適切に電極部１が人体に接触していることを使用者に知らせるために、発光ダイオード５の発光を変化させる。具体的には、人体検知がなされるまでは、発光ダイオード５を点滅させ、人体検知がなされれば点灯に移行するようにする。
【００２２】
前記人体検知は、具体的には、パルス出力部１２から、所定周波数の検出信号が電極部に出力されている。この検出信号は、人体と電極部１が接触している場合には人体を通って対極電極部６に入力される。人体を介してしているので、パフプレート部１で検出される検出信号と比べると、対極電極部６で検出される検出信号がノイズが入った微弱な信号となっている。このような信号により人体と実際に接触しているか否かを判別する場合に、単純に検出信号の１つでも検出されると人体が検知されると判別するのは早計であり、ノイズにより一時的に上昇した波高値である可能性もある。したがって、図４（ｂ）に示すように人体検知の回路に積分回路を配設し、一定時間を継続して検出信号が入力された場合に、制御部９に人体検知がなされたことを示す信号を出力することとした。ここで、前記一定時間は、積分回路の抵抗又はコンデンサの容量を変更することにより調整が可能であり、可変にすることも可能である。他の人体検知の方法としては、出力した検出信号に対応する対極電極６で検出された検出信号の平均をとって所定電圧レベル以上となっている場合にのみ動作モードに移行する構成とすることもできる。また、検出された検出信号の平均だけでなく、他にも、最初と最後のいくつかの検出信号を無視して残りの検出信号の平均を比較対象とすることもできる。最初と最後のいくつかの検出信号を無視したのは、一般に人体に対して電気信号を流した場合に、最初と最後の電気信号に対する検出信号が弱くなるという性質を考慮したものである。他には、前記性質を逆手にとって、電圧の変化率が高いポイントが２点あるか否かにより判別することもできる。この２点というのは、最初と最後の電気信号に対する検出信号が弱くなる部分のことを意味している。また、単に平均だけでなく、検出信号のうち所定の電圧レベルを超えた検出信号の数により
判別してもよい。
【００２３】
前記制御部９が、前記人体検知の検出信号を受け人体を検知した時にパルスの出力を開始しバイブレータ１３を駆動開始させる。人体を検知しなくなったことを判別するためには、パルスが出力されている場合には、パルスが他方の電極にて検出されていることで患部に電極部が当接されていると判断できるので、このパルスが他方の電極で検出されなくなった場合を人体が検知されなくなったとして判別することができる。そして、人体を検知しなくなった時にパルスの出力を停止しバイブレータ１３の駆動を停止し、さらに、再び人体を検知した時にパルスの出力を再開しバイブレータ１３の駆動を再開することとする。
【００２４】
パルスは前記パルス出力部１２から出力されるのであるが、パフプレート部１に対してパルスを出力するのか、対極電極部６に対してパルスを出力するのかは、前記モードにより異なる。パフプレート部１に対してパルスを出力する場合には、対極電極部６はGNDに電圧レベルを落としておく必要がある。一方、対極電極部６に対してパルスを出力する場合には、パフプレート部１はGNDに電圧レベルを落としておく必要がある。このようにパルスが出力されない側の電極をGNDに電圧レベルを落とすのは、出力されたパルスが人体を通って出力されない側の電極に通すためである。
【００２５】
図５又は図７に示すようにパルス出力部１２が各パルス生成時にパルスの立ち上がり時間を十分与えパルスの立ち上がりの波形の形状が湾曲とする（以下、パルス緩慢立ち上がり機能とする）ことで、生体が電気を感じるコヒーレ電圧に急激に到達することなく、パルスの電圧レベルがゆっくりと上昇しコヒーレ電圧に到達して生体に対して電気を感じさせることを防止して、本イオン導入器を快く使用することができる。特に、イオン導入器を顔を患部として使用する場合には、顔の皮膚が敏感であるため、かかる電気を感じる場合の不快感は他の患部と比較しても著しく、本イオン導入器が有効である。なお、図６又は図８では、各パルスを詳細に示すことなく、総括的にパルスを示しているだけであって、図５又は図７と同様にパルス出力部１２が各パルス生成時にパルスの立ち上がり時間を十分与えパルスの立ち上がりの矩形の形状を湾曲としている。なお、図６又は図８は、パルスの集合により構成されているが、パルスからなるのではなく実際に電圧制御してかかる波形の電圧を正確に印加することもできる。また、人体が痛みを感じないための具体的な立ち上がり時間は、０．１［ｍｓ］ないし１［ｍｓ］であることが好ましい。他の表現をすれば、これもパルスの種類にも拠るわけであるが、周期の４０［％］程度までならイオン導入の効果の観点から許容できる範囲である。より十分な時間をとって立ち上げることは人体の痛みが生じないという観点からは望ましいが、パルスの周期よりも大きくなれば立ち上がる前にパルスが終了し、また、イオン導入の効果の観点からも望ましくなく限界がある。また、図６と図８との違いは、図８の方がパルスの周期が大きいことである（例えば、図６のパルスの周期の１０倍程度が図８のパルスの周期である）。
【００２６】
図５ないし図８に示すように、前記パルス出力部１２が正のパルスを出力した後に負のパルスを出力する場合に正のパルス出力後休止期間を経て負のパルスを出力する（以下、休止期間付加機能とする）ことにより、正のパルスの電圧レベルから負のパルスの電圧レベルに一気に変化することなく、正のパルスの電圧レベルからベースレベルの電圧レベルに、休止期間を経て、ベースレベルの電圧レベルから負のパルスの電圧レベルに変化するため、生体に過剰な電圧レベルの変化の負荷を与えることなく駆動することができる。ここでは、パルス毎に負のパルスを出力しているのではなく、ある波形モードのときの１周期中に複数の正のパルスを出力した後に休止期間を経て負のパルスを出力しているのである。
【００２７】
次に、本実施形態に係るイオン導入器の動作について説明する。使用者は、イオン導入器の電源スイッチ５ａを押下してイオン導入器を起動させる。制御部９が起動し、全ての発光ダイオード５を所定時間点灯させる。この点灯は、待機モードから動作モードに移行したことを示す。動作モードに移行すると、制御部９はパルス出力部１２から検出信号を出力する。所定期間の間に検出信号の出力に対して信号の受信ができない場合には、待機モードに移行する。一方、所定期間内に検出信号の出力に対して信号の受信ができた場合には、制御部９によりイオンクレンジングのモードに移行する。イオンクレンジングのモードでは、制御部９がパルス出力部１２に早い周期のパルス出力をさせると共にバイブレータ１３に振動させて皮膚内部の汚れを排出させる。このイオンクレンジングのモードの動作と共に、制御部９がモード表示ランプ５ａを水色に点灯させる。イオンクレンジングのモードの終了後、一端休止する。これはイオンクレンジング後に洗顔等を使用者が行う必要があるからである。使用者がかかる洗顔等をした後、電源スイッチ５ａを押下し休止を解いて、制御部９によりマッサージのモードに移行する。マッサージのモードでは、制御部９が１００［ｍsec］の間に１：１Dutyの＋／−の出力をパルス出力部１２にさせると共にバイブレータ１３を振動させて肌をマッサージする。このマッサージのモードの動作と共に、制御部９がモード表示LED５ａを橙に点灯させる。マッサージのモードの終了後、一端休止する。使用者は患部にプロビタミンCを浸透させたコットンパフ８をパフプレート部１に被せ、さらに前記パフリング７をリングの孔部長軸内側方向に押し曲げ、パフリング７を変形させた状態でコットンパフ８を被せたパフプレート部１に嵌め合わせる（図３（ａ）参照）。使用者が電源スイッチ４ａを押下することで、制御部９によりイオン導入のモードに移行する。イオン導入時には、制御部９が早い周期のパルス出力をパルス出力部１２にさせると共にバイブレータ１３を振動させて皮膚の中にプロビタミンＣを浸透させる。このイオン導入のモードの動作と共に、制御部９がモード表示ランプ５ａを青色に点灯させる。イオン導入のモードの終了後、電極部１に嵌め合わせたパフリング７を外しコットンパフ８も外し、制御部９によりリフティングのモードに移行する。このリフティング時には、浸透させたプロビタミンＣを安定させるため、制御部９がパルス出力部１２に約１［min］間１：１Dutyの＋／−の出力をさせる。このときはバイブレータ１３の振動はない。このリフティングのモードの動作と共に、制御部９がモード表示ランプ５aを白色に点灯させる。以上で、通常のイオン導入の動作は終了し、待機モードに移行する。
【００２８】
前記各モードの使用中に実際に使用者がイオン導入器を患部から離すと、パルスが他方の電極で検出することができなくなり、患部からパフプレート部１が離されたと判別し、バイブレータ１３の振動を停止させると共にパルスの出力を停止する。このようにバイブレータ１３の振動及びパルスの出力を停止している場合には、検出信号を再び出力する。そして、再び、患部にパフプレート部１を当接させると、検出信号を検出することができ、パフプレート部１が患部に当接されていると判別し、停止されたモードの残りの駆動期間バイブレータ１３の振動及びパルスの出力を再開させる。
【００２９】
このように本実施形態に係るイオン導入器によれば、患部にパフプレート部１が接触しているときに、バイブレータ１３の駆動を開始するので、パフプレート部１が接触していない場合にバイブレータ１３は開始することはなく、使用者が意識することなく、電力消費量の大きいバイブレータ１３の無駄な駆動を抑制することができる。また、イオン導入器に予め設定しているコースにおけるバイブレータ１３の動作であれば、コースが想定するバイブレータ１３の振動を十分に患部が受けることができる。また、人体を検知しなくなったとき、すなわち、患部にパフプレート部１が接触していないときに、バイブレータ１３の駆動を停止するので、パフプレート部１が接触していない場合にバイブレータ１３は駆動することはなく、使用者が意識することなく、電力消費量の大きいバイブレータ１３の無駄な駆動を抑制することができる。
【００３０】
なお、本実施形態に係るイオン導入器においては、人体検知をバイブレータ１３の駆動変化に基づき行うこともでき、バイブレータ１３を駆動させる場合に、電極部を患部に当接している場合、パフプレート部１を患部に当接していない場合、イオン導入器を机等に一時的に置いている場合で、バイブレータ１３の駆動は変化し、モーターを回転させて偏心させた錘を回転させてバイブレータ１３を構成している場合には回転数、駆動電圧（駆動電流）が変化し、圧電素子を用いてバイブレータ１３を構成している場合には駆動電圧（駆動電流）が変化し、この駆動変化により人体検知を行い、別途検出するための検出信号を出力、受信する回路を構成することもなく、バイブレータ１３単体で駆動することができる。また、電極部１が患部に当接しているか否かを検出するために、一定の間隔でバイブレータ１３を駆動させる必要があるものの、使用者に対して駆動中であることを知らせることができ、検出動作自体も無駄になることがない。ここで、モーター、圧電素子を用いたバイブレータを例示したが、この他の構成によるバイブレータを用いてもよい。
【００３１】
また、本実施形態に係るイオン導入器においては、電源投入後最初のバイブレータ１３の駆動開始はスイッチ入力に基づき行うので、患部にパフプレート部１を当接させた場合に唐突にバイブレータ１３が駆動することはなく安全且つ安心して使用することができる。
【００３２】
（本発明の第２の実施形態）
本発明の第２の実施形態に係るイオン導入器について図９または図１０に基づき説明する。図９は本実施形態に係るイオン導入器のクレンジングのモードの波形図及び図１０は本実施形態に係るイオン導入器のイオン導入のモードの波形図、図１１は本実施形態に係るイオン導入器の回路構成図である。
【００３３】
本実施形態に係るイオン導入器は、前記第１の実施形態に係るイオン導入器と同様に構成され、パルス出力部１２がパルス毎に印加電圧を正から負に変化させることを異にする構成である。
【００３４】
本実施形態に係るパルス出力部１２は、クレンジングのモード及びイオン導入のモードについて、前記第１の実施形態に係る図５のクレンジングのモードの波形図及び図７のイオン導入のモードの波形図と異なり、それぞれ図９のクレンジングのモードの波形図及び図１０のイオン導入のモードの波形図に改良した。相違点は、図９及び図１０はパルス毎に正のパルスの後に負のパルスを挿入している点である。この相違点により、体内で帯電している電荷を解放することができ、対極電極部６で検出される検出電圧の波形図が出力電圧に近似され、効果的なパルスを使用者の皮膚に与え円滑にイオン導入等の目的を果たすことができる。このような負のパルスを挿入しない場合の検出電圧の波形図は体内で帯電状態となっているため一旦パルスが立ち上がると、図９の点線に示すとおり、所定電圧から十分に下がることができず、所望の効果を皮膚に与えることができなかった。本実施形態に係るパルスを出力した場合には、図９の点線よりもパルス毎に十分に０電位に近接したパルスの波形となる。このように出力電圧と検出電圧の波形図がより近似されたものとなるのは、パルス毎に正のパルスに対して負のパルスを出力しているからに他ならない。負のパルスの電圧レベルの最大絶対値は、正のパルスの最大電圧レベルより小さいものとしている。これは、負のパルスは体内での帯電を解放するために行うものであり、負の電圧レベルまで検出電圧を降下させることが目的ではないからである。また、負のパルスの電圧レベルの最大絶対値を、正のパルスの最大電圧レベルと同程度とすると、使用者の体に対する負担も一層大きくなり、刺激が強すぎて敏感な肌に悪影響を与えかねないからである。したがって、負の電圧レベルの最大絶対値を大きくする前提として、前記第１の実施形態における休止期間をパルス毎に挿入する構成が望ましい。
【００３５】
本実施形態に係るイオン導入器の動作は前記第１の実施形態の動作と同様であり、パルス出力部１２が出力するパルスのみ異なる。
このように本実施形態に係るイオン導入器によれば、前記パルス出力部がパルスを出力した後パルス毎に逆の極性のパルスを出力するので、パルス出力部１２からのパルスにより人体が帯電状態となっても、印加電圧が正から負に（または負から正に）なり人体への帯電が解放され、パルス出力部１２が出力した波形に応じた出力波形が得られ、想定する効果を十分に得ることができる。また、本実施形態においては、クレンジング及びイオン導入のモードの波形に対して逆の極性のパルスを出力するようにしたが、これは、クレンジング及びイオン導入が、マッサージ及びリフティングのモードの周波数と比べて高いからである。すなわち、周波数が高いと一旦立ち上がった電圧が降下し難いという特性があるためである。ただし、当然にマッサージ及びリフティングにも逆の極性のパルスを挿入することもでき、より高い効果を望むことができる。
【００３６】
なお、本実施形態に係るイオン導入器においては、図１１に示すように、前記パルス出力部１２のパルス出力部分を構成する回路を接地用スイッチ１５を介して接地し、パルス出力部１２がパルス毎にパルスを出力した後前記接地用スイッチ１５を投入して前記パルス出力部分を接地状態にすることもでき、パルス出力部１２からのパルスにより人体が帯電状態となっても、パルス出力部１２がパルスを出力しなくなるだけでなくさらに接地状態になって人体への帯電が解放され、パルス出力部が出力した波形に応じた出力波形が得られ、想定する効果を十分に得ることができる。パルス出力側も接地状態にすることで、体内の電荷が十分に解放できるようにしたものである。
【００３７】
また、図１１のQ１のトランジスタと、接地用スイッチ１５であるQ2のトランジスタとを同時にONとすることもできるが、Q1のトランジスタをONにした後暫くしてQ2のトランジスタをONにすることもでき、このように時間差（電気無通電期間）を設けることでパルスの降下がかかる電気無通電期間は緩やかに変化し、電気無通電期間経過後に一気０電位まで下がるようにすることもできる。このように段階的に下げるメリットしては、使用者の患部に対する負担減がある。
【００３８】
（本発明の第３の実施形態）
本発明の第３の実施形態に係るイオン導入器について図１２に基づき説明する。図１２は本実施形態に係るイオン導入器の平面図である。
【００３９】
前記図１２（ａ）において本実施形態に係るイオン導入器は、前記第１の実施形態に係るイオン導入器と同様に構成され、患部に直接接触し、前記パフプレート部１が３つの分割領域２０に分割されて構成されていることを異にする構成である。
【００４０】
前記パフプレート部１が３つの分割領域２０ａ、２０ｂ、２０ｃからなる。分割領域２０ａと分割領域２０ｂとが導通し、分割領域２０ａと分割領域２０ｂとの間を局所的にケアすることができる。同様に、分割領域２０ｂと分割領域２０ｃとが導通し、分割領域２０ｂと分割領域２０ｃとの間を局所的にケアすることができる。したがって、パフプレート部１を使用者が同一箇所に当接した場合であっても２箇所をケアすることができる。２箇所のケアを同時に行うこともできるが、時間差を付けてケアすることもでき、駆動の安定性の観点からは時間差を設けてケアする方が好ましい。
【００４１】
このように本実施形態に係るイオン導入器によれば、患部に直接接触し、前記パフプレート部１が、３つの領域に分割されて構成されているので、分割領域２０同士で導通することができ局所的なケアを行うことができ、さらに、分割領域が２つの場合には1箇所のみにおいてケアができるにすぎないが、分割領域を３以上形成している場合には複数箇所のケアもできる。
【００４２】
また、本実施形態に係るイオン導入器においては、図１２（ｂ）に示すように、パフプレート部１をより多くの分割領域２０より構成することもでき、より多くの箇所でケアすることもできる。また、隣接した分割領域だけでなく、例えば、分割領域２０ａと分割領域２０ｊ、または、分割領域２０ａと分割領域２０ｓとでは刺激を与えるエリアも異なれば強さも異なり、より柔軟且つきめ細かなしわケアを行うことができる。
【図面の簡単な説明】
【００４３】
【図１】本発明の第１の実施形態に係るイオン導入器の平面図及び右側面図である。
【図２】本発明の第１の実施形態に係るイオン導入器の全体構成ブロック図である。
【図３】本発明の第１の実施形態に係るパフリングの使用状態図である。
【図４】本発明の第１の実施形態に係るイオン導入器の回路構成図である。
【図５】本発明の第１の実施形態に係るイオン導入器のクレンジングのモードの波形図である。
【図６】本発明の第１の実施形態に係るイオン導入器のマッサージのモードの波形図である。
【図７】本発明の第１の実施形態に係るイオン導入器のイオン導入のモードの波形図である。
【図８】本発明の第１の実施形態に係るイオン導入器のリフティングのモードの波形図である。
【図９】本発明の第２の実施形態に係るイオン導入器のクレンジングのモードの波形図である。
【図１０】本発明の第２の実施形態に係るイオン導入器のイオン導入のモードの波形図である。
【図１１】本発明の第２の実施形態に係るイオン導入器の回路構成図である。
【図１２】本発明の第３の実施形態に係るイオン導入器の平面図である。
【図１３】従来のイオン導入器の全体斜視図である。
【図１４】従来のイオン導入器の各モードの波形図である。
【符号の説明】
【００４４】
１  パフプレート部
１ａ  電極ライン
２  前面体
２ａ  連結部
３  背面体
４  操作スイッチ
４ａ  電源スイッチボタン
４ｂ  モード切替スイッチ
４ｃ  強弱切替スイッチ
５  発光ダイオード
５ａ  モード表示ランプ
５ｂ  強弱表示ランプ
６  対極電極部
７  パフリング
７ａ  孔部
７ｂ  つば部
７ｃ  一方の開口の径
７ｄ  他方の開口の径
８  コットンパフ
９  制御部
１２  パルス出力部
１３  バイブレータ
１３ａ  バイブレータライン
１４  ＡＣアダプター
１５  接地用スイッチ
２０ａないし２０ｓ  分割領域
１０１  本体
１０２  顔面皮膚接触部
１０４  遠赤外線出力部
１０６  接地部
【図１】
2010148979.tif 000003
【図２】
2010148979.tif 000004
【図３】
2010148979.tif 000005
【図４】
2010148979.tif 000006
【図５】
2010148979.tif 000007
【図６】
2010148979.tif 000008
【図７】
2010148979.tif 000009
【図８】
2010148979.tif 000010
【図９】
2010148979.tif 000011
【図１０】
2010148979.tif 000012
【図１１】
2010148979.tif 000013
【図１２】
2010148979.tif 000014
【図１３】
2010148979.tif 000015
【図１４】
2010148979.tif 000016